(57)【要約】【課題】嵩張らず、保管スペースを小さくすることができる盛篭を提供することを課題とする。【解決手段】贈答品を贈るときに用いられる盛篭１であって、贈答品を収納する収納部２を備え、収納部２は、複数個の平板状の部材を組立てることによって構成されるものでああり、好ましくは、収納部２は、収納部２の底面部を構成する底部４と、底部４を囲むように配置される枠部５と、を備え、底部４と枠部５とが組立てられることによって構成される。【選択図】図１
2017086713.tif 000002
【特許請求の範囲】
【請求項１】
贈答品を贈るときに用いられる盛篭であって、
前記贈答品を収納する収納部を備え、
前記収納部は、複数個の平板状の部材を組立てることによって構成される、
盛篭。
【請求項２】
前記収納部は、前記収納部の底面部を構成する底部と、前記底部を囲むように配置される枠部と、を備え、前記底部と前記枠部とが組立てられることによって構成される、
請求項１に記載の盛篭。
【請求項３】
前記収納部は、プラスチックダンボールで構成される、
請求項１または請求項２に記載の盛篭。
【請求項４】
前記収納部が載置される台部を備え、
前記収納部と前記台部とは、分離可能に構成される、
請求項１から請求項３のいずれか一項に記載の盛篭。
【発明の詳細な説明】
【技術分野】
【０００１】
本発明は、盛篭の技術に関する。
【背景技術】
【０００２】
従来、葬儀、法事、または盆等において、贈答品を贈るときに用いられる容器である盛篭は公知となっている（特許文献１参照）。
盛篭は、贈答品を収納する収納部を備える。また、盛篭は、収納部に贈答品を収納した状態で、花（生花または造花）で装飾されて贈答される。
【先行技術文献】
【特許文献】
【０００３】
【特許文献１】特開２００４−４１３５０号公報
【発明の概要】
【発明が解決しようとする課題】
【０００４】
しかしながら、前記盛篭では、贈答品は、例えば、果物、缶詰、または菓子等で構成されるが、箱詰め等されて比較的大きいサイズのものが用いられることが多い。
このため、前記盛篭は、贈答品のサイズに合わせて、比較的容量の大きいもので構成される。もっとも、前記盛篭では、成形品等で構成されることから、嵩張って、大きな保管スペースを要することとなる。
【０００５】
本発明は以上の如き状況に鑑みてなされたものであり、嵩張らず、保管スペースを小さくすることができる盛篭を提供することを課題とする。
【課題を解決するための手段】
【０００６】
本発明の解決しようとする課題は以上の如くであり、次にこの課題を解決するための手段を説明する。
【０００７】
即ち、請求項１においては、贈答品を贈るときに用いられる盛篭であって、前記贈答品を収納する収納部を備え、前記収納部は、複数個の平板状の部材を組立てることによって構成されるものである。
【０００８】
請求項２においては、前記収納部は、前記収納部の底面部を構成する底部と、前記底部を囲むように配置される枠部と、を備え、前記底部と前記枠部とが組立てられることによって構成されるものである。
【０００９】
請求項３においては、前記収納部は、プラスチックダンボールで構成されるものである。
【００１０】
請求項４においては、前記収納部が載置される台部を備え、前記収納部と前記台部とは、分離可能に構成されるものである。
【発明の効果】
【００１１】
本発明の効果として、以下に示すような効果を奏する。
即ち、本発明によれば、嵩張らず、保管スペースを小さくすることができる。
【図面の簡単な説明】
【００１２】
【図１】本発明の実施形態に係る盛篭の全体的な構成を示した正面図。
【図２】同じく盛篭の全体的な構成を示した側面図。
【図３】同じく盛篭の収納部の底部を示した展開図。
【図４】同じく盛篭の収納部の枠部を示した展開図。
【図５】同じく盛篭の収納部を示した平面図。
【図６】同じく盛篭の収納部を示した側面図。
【図７】同じく盛篭の台部の足部を示した展開図。
【図８】同じく盛篭の台部の載置部を示した展開図。
【図９】同じく盛篭の台部を組立てる前の状態を示した正面図。
【図１０】同じく盛篭の台部を組立てる前の状態を示した側面図。
【図１１】同じく盛篭の台部を示した正面図。
【図１２】同じく盛篭の台部を示した側面図。
【図１３】同じく盛篭の収納部と台部とが分離した状態を示した正面図。
【発明を実施するための形態】
【００１３】
次に、本発明の実施形態に係る盛篭１について、図１から図１３を用いて説明する。
【００１４】
盛篭１は、葬儀、法事、または盆等において、贈答品（例えば、果物、缶詰、または菓子等）を贈るときに用いられる容器である。盛篭１は、贈答品を収納可能に構成され、花（生花または造花）で装飾される。
盛篭１は、複数個の平板状の部材を組立てることによって構成される。盛篭１は、前記組立てられた平板状の部材を分解して折畳み可能に構成される。盛篭１は、プラスチックダンボール（プラスチック製ダンボール素材）で構成される。
図１または図２に示すように、盛篭１は、収納部２と、台部３と、を備える。
収納部２は、贈答品を収納する。台部３は、収納部２が載置される台として構成される。収納部２と台部３とは、別体に構成される。収納部２と台部３とは、分離可能に構成される。
【００１５】
収納部２は、上方が解放し、略皿状に構成される。収納部２は、プラスチックダンボールで構成される。収納部２は、台部３に載置されて、台部３の上方に配置される。
なお以下において、便宜上、図３から図６に示す上方を収納部２の後方と、図３から図５に示す左右方向を収納部２の左右方向として説明する。
収納部２は、複数個（二個）の平板状の部材を組立てることによって構成される。
図１から図６に示すように、収納部２は、底部４と、枠部５と、を備える。
【００１６】
収納部２の底部４は、収納部２の底面部を構成する。収納部２の底部４は、プラスチックダンボールで構成される。収納部２の底部４は、平板状に構成される。収納部２の底部４は、平面視で略六角形に構成される。収納部２の底部４は、底部本体４０と、複数個（八個）の片体４１と、を備える。
【００１７】
盛篭１の収納部２の底部４の底部本体４０は、平面視略六角形に構成される。収納部２の底部４の片体４１は、底部本体４０の各辺部に連接されて構成される。収納部２の底部４の片体４１は、底部本体４０の各辺部の縁部から外側に突出するように構成される。収納部２の底部４の片体４１は、底部本体４０の左右の縁部にそれぞれ一個ずつ配置され、底部本体４０の後方左右の縁部にそれぞれ一個ずつ配置され、底部本体４０の前方左右の縁部にそれぞれ二個ずつ配置される。
【００１８】
収納部２の枠部５は、収納部２の側面部と上面部とを構成する。収納部２の枠部５は、底部２（底部本体４０）を囲むように配置される。収納部２の枠部５は、プラスチックダンボールで構成される。収納部２の枠部５は、平板状に構成される。収納部２の枠部５は、平面視で略円環形に構成される。
収納部２の枠部５は、枠部本体５０と、複数個（六個）の側板体５１と、複数個（八個）の差込み孔５２と、を備える。
【００１９】
収納部２の枠部５の枠部本体５０は、収納部２の上面部を構成する。収納部２の枠部５の枠部本体５０は、環状に構成される。収納部２の枠部５の枠部本体５０は、外側縁部が円形に構成され、内側縁部が略六角形に構成されて、環状に構成される。収納部２の枠部５の枠部本体５０は、その内側縁部の面積（六角形の面積）が底部４の底部本体４０の面積（六角形の面積）よりも大きく構成される。
【００２０】
収納部２の枠部５の側板体５１は、収納部２の側面部を構成する。収納部２の枠部５の側板体５１は、略台形状に構成される。収納部２の枠部５の側板体５１は、枠部本体５０の内側縁部の各辺部に連接されて構成される。収納部２の枠部５の側板体５１は、枠部本体５０の内側縁部から内側に突出するように構成される。収納部２の枠部５の側板体５１は、枠部本体５０の内側縁部の各辺部にそれぞれ一個ずつ配置される。収納部２の枠部５の側板体５１は、枠部本体５０と側板体５１との境界部分を軸にして、下方に折曲げ可能に構成される。収納部２の枠部５の側板体５１は、下方に折曲げられた状態で収納部２の側面部を構成する。収納部２の枠部５は、側板体５１が下方に折曲げ易いように、枠部本体５０と側板体５１との境界部分にミシン目状の浅い切り目Ａが設けられる。
【００２１】
収納部２の枠部５の差込み孔５２は、底部４の片体４１を差込み可能に構成される。収納部２の枠部５の差込み孔５２は、左右の側板体５１にそれぞれ一個ずつ配置され、後方左右の側板体５１にそれぞれ一個ずつ配置され、前方左右の側板体５１にそれぞれ二個ずつ配置される。収納部２の枠部５の差込み孔５２は、側板体５１の内側縁部よりも若干外側に配置される。
【００２２】
収納部２の組立て方法について説明する。
収納部２の枠部５のそれぞれの側板体５１を下方に折曲げて、枠部５のそれぞれの差込み孔５２に底部４のそれぞれの片体４１を貫挿する。このようにして収納部２は、底部４と枠部５とが組立てられることによって構成される。収納部２が組立てられた状態では、枠部５の側板体５１が前外後内に傾斜するように折曲げられた状態となる。収納部２が組立てられた状態では、枠部５の枠部本体５０が底部４よりも前方に位置する。
【００２３】
以上のように、複数個の平板状の部材（底部４と枠部５）を組立てることによって収納部２が構成される、盛篭１では、収納部２の部材（底部４と枠部５）を分解した状態（または組立てる前の状態）では平板状とすることができる。
したがって、盛篭１では、収納部２の底部４と枠部５とを平板状とすることができることから、従来のものと比べて、嵩張らず、保管スペースを小さくすることができる。また、盛篭１では、収納部２の底部４と枠部５とを平板状とすることができることから、従来のものと比べて、一度に搬送する量を増加させることができる。
【００２４】
また以上のように、底部４と枠部５とが組立てられることによって収納部２が構成される、盛篭１では、底部４と枠部５との二個の部品点数で収納部２を構成することができる。
したがって、盛篭１では、複数個の平板状の部材を組立てることによって収納部２が構成されるものであっても、部品点数を少なくすることによって、部品点数が比較的多いもの（例えば、部品点数が三個以上のもの）に比べて、収納部２を組立てる作業を容易に行うことができる。
【００２５】
また以上のように、収納部２がプラスチックダンボールで構成される、盛篭１では、従来のものに比べて軽量に構成することができる。
しがって、盛篭１では、収納部２がプラスチックダンボールで構成されることから、従来のものに比べて搬送作業が容易になる。また、盛篭１では、収納部２がプラスチックダンボールで構成されることから、紙製ダンボールで構成されるものに比べて、耐久性が向上し、繰返し使用することができる。
【００２６】
また以上のように、枠部５の側板体５１を下方に折曲げて枠部５の差込み孔５２に底部４の片体４１を貫挿することによって、底部４と枠部５とを組立てて、収納部２が構成される、盛篭１では、折曲げまたは差込む等の簡易な動作で部材を組立てて収納部２を構成することができる。
しがたって、盛篭１では、複数個の平板状の部材を組立てることによって収納部２が構成されるものであっても、例えば、部材同士を接着または固着等して収納部２を構成するものに比べて、収納部２を組立てる作業を容易に行うことができる。
【００２７】
収納部２の枠部５は、目印部５３を備える。
収納部２の枠部５の目印部５３は、枠部本体５０の後端部の外側縁部から外側に突出する。収納部２の枠部５の目印部５３は、弧状に構成される。
このように、収納部２の枠部５が目印部５３を備える盛篭１では、収納部２の前後方向を容易に認識することができる。
【００２８】
収納部２の枠部５は、複数個（六個）の貫通孔５４を備える。
収納部２の枠部５の貫通孔５４は、枠部本体５０に均等に配置される。収納部２の枠部５の貫通孔５４は、花（生花または造花）の茎部分を差込んで枠部本体５０に取付け可能に、枠部本体５０を貫通して構成される。
このように、収納部２の枠部５が複数個の貫通孔５４を備える盛篭１では、花の取付を容易に行うことができる。
【００２９】
収納部２の枠部５は、札孔５５を備える。
収納部２の枠部５の札孔５５は、枠部本体５０の後部に配置される。収納部２の枠部５の札孔５５は、送り主の氏名や名称等が記載された札等を差込んで枠部本体５０に取付け可能に枠部本体５０を貫通して構成される。
このように、収納部２の枠部５が札孔５５を備える盛篭１では、札等の取付けを容易に行うことができる。
【００３０】
収納部２の底部４は、仕切体４２を備える。
収納部２の底部４の仕切体４２は、底部４の底部本体４０に切込みが設けられて、底部本体４０に対して上方に起立させて、収納部２内を仕切るように構成される。収納部２の底部４の仕切体４２は、底部４の底部本体４０の中心部よりも前方に配置される。収納部２の底部４の仕切体４２は、仕切体４２と底部本体４０との境界部分を折曲げ可能に構成される。収納部２の底部４の仕切体４２は、折曲げ易いように、仕切体４２と底部本体４０との境界部分にミシン目状の浅い切り目が設けられる。
このように、収納部２の底部４が仕切体４２を備える盛篭１では、比較的小さいサイズの贈答品を収納するときに仕切体４２を起立させた状態にして、仕切体４２よりも中心側に贈答品を配置することができる。
したがって、盛篭１では、比較的小さいサイズの贈答品を収納するときであっても、仕切体４２によって収納部２に収納された贈答品が位置ずれをおこすことを抑制することができる。
【００３１】
台部３は、収納部２が載置される台として構成される。台部３は、プラスチックダンボールで構成される。台部３は、収納部２の下方に配置される。
なお以下において、便宜上、図７、図９から図１２に示す上方を台部３の上方と、図７から図９、図１１に示す左右方向を台部３の左右方向として説明する。
台部３は、複数個（二個）の平板状の部材を組立てることによって構成される。
図１、図２、図７から図１２に示すように、台部３は、足部６と、載置部７と、を備える。
【００３２】
台部３の足部６は、プラスチックダンボールで構成される。台部３の足部６は、平板状に構成される。
台部３の足部６は、足部本体６０と、前支持体６５と、後溝６６と、前溝６７と、取付孔６８と、を備える。
【００３３】
台部３の足部６の足部本体６０は、複数個（四個）の板体（左前板体６１、右前板体６２、右後板体６３、および、左後板体６４、）で構成される。台部３の足部６の足部本体６０の板体は、上下方向を長手方向とする略四角形に構成される。台部３の足部６の足部本体６０は、左前板体６１と右前板体６２とが互いの長手方向の辺で連接され、右前板体６２と右後板体６３とが互いの長手方向の辺で連接され、右後板体６３と左後板体６４とが互いの長手方向の辺で連接されて構成される。台部３の足部６の足部本体６０は、左前板体６１と右前板体６２との境界部分、右前板体６２と右後板体６３との境界部分、および、右後板体６３と左後板体６４との境界部分、を軸としてそれぞれ折曲げ可能に構成される。足部本体６０は、折曲げ易いように、左前板体６１と右前板体６２との境界部分、右前板体６２と右後板体６３との境界部分、および、右後板体６３と左後板体６４との境界部分、にミシン目状の浅い切り目Ｃが設けられる。台部３の足部６の足部本体６０は、左前板体６１、右前板体６２、左後板体６４、および、右後板体６３をそれぞれ折曲げて、左前板体６１と左後板体６４との縁部をリベット等で固定されて構成される。台部３の足部６の足部本体６０は、このように構成されることによって、長手方向を上下方向とする略四角筒状に構成される。台部３の足部６の足部本体６０は、その上端部が、前下後上に傾斜するように構成される。
【００３４】
台部３の足部６の前支持体６５は、収納部２が台部３に載置されたときに、収納部２が前方に脱落しないように収納部２を前方から支持する。台部３の足部６の前支持体６５は、足部本体６０（左前板体６１および右前板体６２の前上端）に設けられる。台部３の足部６の足部本体６０の前上端（左前板体６１および右前板体６２の前上端）から上方に突出するように構成される。台部３の足部６の前支持体６５は、前上後下に傾斜するように構成される。台部３の足部６の上端は、足部本体６０の上端と前支持体６５の上端とで側面視略Ｖ字状に構成される。
【００３５】
台部３の足部６の後溝６６は、左右一対で構成される。台部３の足部６の後溝６６は、前溝６７よりも後方に配置される。台部３の足部６の後溝６６は、足部本体６０の左前板体６１と左後板体６４との境界部分、および、足部本体６０の右前板体６２と右後板体６３との境界部分、にそれぞれ設けられる。足部６の後溝６６は、足部本体６０の上端から垂直方向（下方）に切欠かれるように形成される。
【００３６】
台部３の足部６の前溝６７は、左右一対で構成される。台部３の足部６の前溝６７は、後溝６６よりも前方に配置される。台部３の足部６の前溝６７は、足部本体６０の左前板体６１と右前板体６２とのにそれぞれ設けられる。台部３の足部６の前溝６７は、前支持体６５の後端から前上後下に傾斜して切欠かれるように構成される。
【００３７】
台部３の足部６の取付孔６８は、素材（プラスチックダンボール）が比較的軽量なものであることから、盛篭１（台部３）が風等で倒されることを防止するための錘（不図示）を台部３に取付るための紐を通すものである。台部３の足部６の支持孔は、足部本体６０の左後板体６４と右後板体６３とにそれぞれ設けられる。
【００３８】
台部３の載置部７は、収納部２が載置される部分を構成するとともに、足部６が略四角筒状に構成された状態を保持する。台部３の載置部７は、プラスチックダンボールで構成される。台部３の載置部７は、平板状に構成される。台部３の載置部７は、平面視で半円形と長方形とが連接されたような形状に構成される。
台部３の載置部７は、載置体７０と、保持体７１と、差込み体７２と、横支持体７３と、嵌合溝７４と、を備える。
【００３９】
台部３の載置部７の載置体７０は、収納部２が載置される部分を構成する。台部３の載置部７の載置体７０は、半円形部分と、前記半円部の直径よりも小さい直径の半円形とが、互いの直径部分を一致させて連接されたような形状に構成される。台部３の載置部７の載置体７０は、半円形部分（大きい直径の半円形）が、前記半円部の直径よりも小さい直径の半円形の前方に配置されて構成される。台部３の載置部７の載置体７０は、半円形部分（大きい直径の半円形）と長方形部分の一部とで構成される。載置部７の載置体７０における小さい直径の半円形は、長方形部分に円弧状の切込みが設けられることによって構成される。
【００４０】
台部３の載置部７の保持体７１は、足部６内に嵌装されて、足部６が略四角筒状に構成された状態を保持する。台部３の載置部７の保持体７１は、半円形部分（載置体７０の大きい直径の半円形）に連接される。台部３の載置部７の保持体７１は、長方形部分の一部（載置体７０の小さい直径の半円形以外の部分）で構成される。台部３の載置部７の保持体７１は、載置体７０の小さい直径の半円形を囲むように配置される。台部３の載置部７の保持体７１は、載置体７０の半円形部分（大きい直径の半円形）と保持体７１との境界部分を軸として折曲げ可能に構成される。載置部７の保持体７１が折曲げ易いように、載置体７０の半円形部分（大きい直径の半円形）と保持体７１との境界部分にミシン目状の浅い切り目Ｄが設けられる。
【００４１】
台部３の載置部７の差込み体７２は、足部６の前溝６７に差込み可能に構成される。台部３の載置部７の差込み体７２は、載置体７０の半円形部分（載置体７０の大きい直径の半円形）に連接される。台部３の載置部７の差込み体７２は、載置体７０から突出するように載置体７０の前方に配置される。台部３の載置部７の差込み体７２は、載置体７０と差込み体７２との境界部分を折曲げ可能に構成される。台部３の載置部７の差込み体７２が折曲げ易いように、載置体７０と差込み体７２との境界部分にミシン目状の浅い切り目Ｅが設けられる。
【００４２】
台部３の載置部７の横支持体７３は、収納部２が台部３に載置されたときに、収納部２が側方に脱落しないように収納部２を側方（左右方向）から支持する。台部３の載置部７の横支持体７３は、左右一対で構成される。台部３の載置部７の横支持体７３は、載置体７０の外側（左右外側）に配置される。
台部３の載置部７の横支持体７３は、前方に突出するように保持体７１に連接される。台部３の載置部７の横支持体７３は、保持体７１が折曲げられたときに、保持体７１の向きと反対方向を向くように構成される。台部３の載置部７の横支持体７３は、保持体７１が下方に折曲げられたときに、上方に突出した状態となる。
【００４３】
台部３の載置部７の嵌合溝７４は、左右一対で構成される。台部３の載置部７の嵌合溝７４は、足部６の横溝に嵌合可能に構成される。台部３の載置部７の嵌合溝７４は、載置体７０および横支持体７３よりも後方に配置される。台部３の載置部７の嵌合溝７４は、保持体７１の後方から前方に切欠かれるように形成される。
【００４４】
台部３の組立て方法について説明する。
台部３の載置部７の保持体７１を下方に（垂直方向に向くように）折曲げて略四角筒状に構成された状態の足部６の上方の開口から足部６内に挿入していき、載置部７の嵌合溝７４と足部６の横溝とを嵌合させる。そして、台部３の足部６の上端の傾斜に合わせるように載置部７を前下後上に折曲げるとともに、載置部７の差込み体７２を下方に（前上後下に向くように）折曲げて足部６の前溝６７に差込む。このようにして台部３は、足部６と載置部７とが組立てられることによって構成される。台部３が組立てられた状態では、載置部７の横支持体７３は上方に突出した状態となる。
【００４５】
以上のように、複数個の平板状の部材（底部４と枠部５）を組立てることによって台部３が構成される、盛篭１では、台部３の部材（足部６と載置部７）を分解した状態（または組立てる前の状態）では平板状とすることができる。
したがって、盛篭１では、台部３の足部６と載置部７とを平板状とすることができることから、従来のものと比べて、嵩張らず、保管スペースを要さない。また、盛篭１では、台部３の足部６と載置部７とを平板状とすることができることから、従来のものと比べて、一度に搬送する量を増加させることができる。
【００４６】
また以上のように、足部６と載置部７とが組立てられることによって台部３が構成される、盛篭１では、足部６と載置部７との二個の部品点数で台部３を構成することができる。
したがって、盛篭１では、複数個の平板状の部材を組立てることによって台部３が構成されるものであっても、部品点数を少なくすることによって、部品点数が比較的多いもの（例えば、部品点数が三個以上のもの）に比べて、台部３を組立てる作業を容易に行うことができる。
【００４７】
また以上のように、台部３がプラスチックダンボールで構成される、盛篭１では、従来のものに比べて軽量に構成することができる。
しがって、盛篭１では、台部３がプラスチックダンボールで構成されることから、従来のものに比べて搬送作業が容易になる。また、盛篭１では、台部３がプラスチックダンボールで構成されることから、紙製ダンボールで構成されるものに比べて、耐久性が向上し、繰返し使用することができる。
【００４８】
また以上のように、載置部７の保持体７１を下方に折曲げて足部６内に挿入していき、載置部７の嵌合溝７４と足部６の横溝とを嵌合させ、載置部７の差込み体７２を下方に折曲げて足部６の前溝６７に差込むことによって、台部３と載置部７とを組立てて、台部３が構成される、盛篭１では、折曲げまたは差込む等の簡易な動作で部材を組立てて台部３を構成することができる。
しがたって、盛篭１では、複数個の平板状の部材を組立てることによって台部３が構成されるものであっても、例えば、部材同士を接着または固着等して台部３を構成するものに比べて、台部３を組立てる作業を容易に行うことができる。
【００４９】
また以上のように、台部３の載置部７の保持体７１を足部６内に挿入していき、載置部７の嵌合溝７４と足部６の横溝とを嵌合させる、盛篭１では、台部３の載置部７の保持体７１を足部６内に挿入していき、載置部７の嵌合溝７４と足部６の横溝とを嵌合させることによって、足部６の形状（足部６が略四角筒状に構成された状態）が保持される。
したがって、盛篭１では、簡易な構成で、足部６の形状（足部６が略四角筒状に構成された状態）を保持することができる。
【００５０】
また以上のように、台部３の足部６の前溝６７が前上後下に傾斜して構成される、盛篭１では、前溝６７が前上後下に傾斜して構成されることから、足部６の前溝６７に差込まれた載置部７の差込み体７２が脱落することを抑制することができる。
【００５１】
図１または図１３に示すように、収納部２が台部３に載置されると、台部３の載置部７の傾斜に合わせて収納部２が前下後上に傾斜する。台部３に収納部２が載置された状態では、収納部２の枠部５の側板体５１の外側に、台部３の足部６の前支持体６５、および、台部３の載置部７の二個の横支持体７３が位置する。
このように、台部３に収納部２が載置された状態で、収納部２の枠部５の側板体５１の外側に複数個の支持体（台部３の足部６の前支持体６５、および、台部３の載置部７の二個の横支持体７３）が配置される、盛篭１では、簡易な構成で、台部３に載置された収納部２が台部３から脱落することを防止することができる。
【００５２】
また、収納部２と台部３とが分離可能に構成される盛篭１では、台部３以外のもの（例えば、台部３とは別の台や支持フレーム等）に収納部２を載置または支持させることもでき、収納部２と台部３とが一体的に構成されるものに比べて汎用性が向上する。
【符号の説明】
【００５３】
１    盛篭
２    収納部
３    台部
４    底部
５    枠部
６    足部
７    載置部
【図１】
2017086713.tif 000003
【図２】
2017086713.tif 000004
【図３】
2017086713.tif 000005
【図４】
2017086713.tif 000006
【図５】
2017086713.tif 000007
【図６】
2017086713.tif 000008
【図７】
2017086713.tif 000009
【図８】
2017086713.tif 000010
【図９】
2017086713.tif 000011
【図１０】
2017086713.tif 000012
【図１１】
2017086713.tif 000013
【図１２】
2017086713.tif 000014
【図１３】
2017086713.tif 000015